(57)【要約】      （修正有）【課題】低層木造住宅等の地震の水平に振動させる地震力において、構成が簡単で、部品点数が少なく、作業が容易である、損傷やスライド防止した土台の提供。【解決手段】逆Ｔ字形コンクリート基礎１０上又は直角形コンクリート基礎上に、夫々所要巾、厚み及び長さを有する免震シート１８を敷設し、又は免震シート１８を敷設せず、内壁面が逆Ｔ字形コンクリート基礎１０又は該直角形コンクリート基礎の外壁面と略一致する巾を有するＨ形鋼１４又は直角形Ｈ形鋼の下半部を嵌合し、該下半部が逆Ｔ字形コンクリート基礎１０又は該直角形コンクリート基礎を外側から部分的に把持し、Ｈ形鋼１４又は該直角形Ｈ形鋼の各上半部壁面内に夫々土台１６を嵌合して一体とする。【選択図】図１
2011094396.tif 000002
【特許請求の範囲】
【請求項１】
所要巾、高さ及び長さを有する逆Ｔ字形コンクリート基礎と、該逆Ｔ字形コンクリート基礎と同じ巾と長さ及び所要厚みとを有し、該逆Ｔ字形コンクリート基礎上に敷設される免震シートと、内壁面が該逆Ｔ字形コンクリート基礎の外壁面と略一致する巾、高さ及び長さを有し、該逆Ｔ字形コンクリート基礎と該免震シートとに嵌合される内側鋼板、外側鋼板及び鋼製連結板とを有する鋼製Ｈ形鋼と、該鋼製Ｈ形鋼の該外側鋼板の上半部壁面と略一致する巾、高さ及び長さを有し、該鋼製Ｈ形鋼の該内側鋼板と外側鋼板の各上半部壁内に嵌合される土台とから成る木造住宅の免震土台。
【請求項２】
所要巾、高さ及び長さを有する逆Ｔ字形コンクリート基礎と、内側鋼板が該逆Ｔ字形コンクリート基礎の外壁面と略一致する巾、高さ及び長さとを有し、該逆Ｔ字形コンクリート基礎に嵌合される鋼製Ｈ形鋼と、該鋼製Ｈ形鋼の内側鋼板と外側鋼板の各上半部側壁面と略一致する巾、高さ及び長さを有し、該鋼製Ｈ形鋼の該内側鋼板と外側鋼板の各上半部壁内に嵌合される土台とから成る請求項１記載の木造住宅の免震土台。
【請求項３】
所要巾、高さ及び長さを有する逆Ｔ字形コンクリート基礎と、該逆Ｔ字形コンクリート基礎の一方の底面の長手方向に一定間隔で穿設された垂直貫通口と、該垂直貫通に貫通されたワイヤ係合用アンカーと、該逆Ｔ字形コンクリート基礎に嵌合される該鋼製Ｈ形鋼で該外側鋼板の該垂直貫通口の対応箇所の外壁面の中間部に所要間隔で突設されたワイヤ係合用突起と、該ワイヤ係合用アンカーと該ワイヤ係合用突起とに張設される鋼製Ｈ形鋼固定用ワイヤと、該鋼製Ｈ形鋼の内側鋼板と外側鋼板の各上半部側壁面と略一致する巾、高さ及び長さを有し、該鋼製Ｈ形鋼の該内側鋼板と外側鋼板の各上半部壁内に嵌合される土台と、該土台に垂直に貫通されたボルトの上端にナットを螺合して該土台と該鋼製Ｈ形鋼とを該逆Ｔ字形コンクリート基礎に固定することを特徴とする請求項１記載の木造住宅の免震土台。
【請求項４】
所要間隔で並列に設けられた一対の所要巾、高さ及び長さを有する第１及び第２逆Ｔ字形コンクリート基礎と、一方の該第１逆Ｔ字形コンクリート基礎に嵌合される第１鋼製Ｈ形鋼と、他方の該第２逆Ｔ字形コンクリート基礎に嵌合される第２鋼製Ｈ形鋼と、該第１鋼製Ｈ形鋼の内側鋼板の所要箇所に所要巾で形成された切欠部から他方の該第２逆Ｔ字形コンクリート基礎の内側鋼板の対応嵌箇所に形成された切欠部に直角に延長して固定される第１Ｕ形鋼と、該第２鋼製Ｈ形鋼の外側鋼板で該第１Ｕ形鋼の延長戦の対応箇所に形成された第２Ｕ形鋼とから成る請求項１記載の木造住宅の免震土台木造住宅の免震土台。
【請求項５】
所要巾、高さ及び長さを有する直角且つ逆Ｔ字形コンクリート基礎と、該直角且つ直角形コンクリート基礎と同じ巾と長さ及び所要厚みを有し、該直角且つ直角形コンクリート基礎に嵌合される直角形鋼製Ｈ形鋼と、該直角形Ｈ形鋼の上半部内壁面と略一致する巾、高さ及び長さを有し、該直角形鋼製Ｈ形鋼の該上半部壁内に嵌合される土台とから成る木造住宅の免震土台。
【発明の詳細な説明】
【技術分野】
【０００１】
この発明は、木造住宅の免震土台に関し、更に詳しくは地震の水平に振動させる地震力による低層木造住宅等の損傷を防止するコンクリート基礎に設けられる木造住宅の免震土台に関する。
【背景技術】
【０００２】
従来木造住宅においては、中小地震（震度５程度）に対して振動による木造住宅への地震力を短期許容応力以下とする必要がある。
【０００３】
そして、公知の木造住宅では、根切り底に割栗石を敷き固め、その上に捨てコンクリートを打設して平坦とした表面上に布基礎を形成し、該布基礎上に角材による土台を直接載せてアンカーボルトで締結している。
【０００４】
具体的には、該コンクリート基礎内に埋設されたアンカーボルトの上端を該コンクリート基礎面から部分的に垂直に突出させ、該アンカーボルトを土台に穿設した貫通口内に貫通させ、該土台から突出する該アンカーボルトの上端にナットを螺合して該アンカーボルトと該土台とを固定している。
【先行技術文献】
【特許文献】
【０００５】
従来提案されている文献としては、
【特許文献１】特開０１−２８４６３３号公報、
【特許文献２】特開０８−２２６２５０号公報、
【特許文献３】特開０８−２４６７０４号公報、
【特許文献４】特開０８−２６０４８５号公報、
【特許文献５】特開０９−１６５７５７号公報、
【特許文献６】特開０９−０３２１４０号公報、
【特許文献７】特開２０００−１２０７８２号公報、
【特許文献８】特開２０００−１４５１９６号公報、
【特許文献９】特開２０００−３５２０６３号公報、
【特許文献１０】特開２００１−１８２３６３号公報、
【特許文献１２】特開２００５−０４２４８８号公報、
【特許文献１３】特開２００７−０６３７５７号公報、
【特許文献１４】特開２００７−１２００２３号公報、
【特許文献１５】特開２００７−１５４４０８号公報、
【特許文献１６】実用新案登録第３１４４１４９号公報、等があげられる。
【発明の概要】
【発明が解決しようとする課題】
【０００６】
前述の通リ、これら公知の木造住宅における免震土台においては、いずれも布基礎内に埋設され、その基礎面から部分的に垂直に突出するアンカーボルトの上端を土台に穿設した貫通口内に貫通させ、該土台から突出する該アンカーボルトの上端にナットを螺合して該アンカーボルトと該土台とを固定している。
【０００７】
（１）特開０１−２８４６３３号公報記載の発明は、木造構造物において、１階床部分は、コンクリート基礎１１上の土台１２に対し、直接、床パネル４ｂを張設するため、従来のような束石、床束、大引き及び根太のころばし作業が不要であり、床パネル４ｂによって直接、「床の水平状態」を確保するから、作業に熟練を要せず、且つ床束等の蟻道がないため、白蟻防止の作用を発揮する。また、外壁及び室内間仕切りに、取付及び取り外しの簡易なパネル７、８を使用するため、増改築及び間仕切り変更が容易である。
【０００８】
（２）特開０８−２２６２５０号公報記載の発明は、コンクリート基礎の上に家屋などの建築物の土台を載置し、規定の許容範囲を超える衝撃荷重が前記コンクリート基礎にかかった時に屈曲変形することができる連結部材を介して前記土台を前記コンクリート基礎に連結取付けた免震構造における土台構造である。
【０００９】
（３）特開０８−２４６７０４号公報記載の発明は、建築物の基礎と土台の間に、球とバネを挟み込み、地震の揺れを吸収する免震基礎である。
【００１０】
（４）特開０８−３４０４８５号公報記載の発明は、建築物を従来のような所謂剛構造で支えるのではなく、バネを利用して地震波と減衰波とを減衰する所謂柔構造で支え、建設コストを増加せず、震度５以上の地震であっても構造物の倒壊を有効に守ることが可能な免震土台装置である。
【００１１】
（５）特開０９−１６５７５７号公報記載の発明は、布基礎３と土台７との間に免震ゴム９と取付金物８ａ、８ｂからなる免震土台７を介在させた構成である。具体的には、該布基礎７にアンカーボルト１３ｂを垂直に埋設させ、該取付金物８ｂと該取付金物８ａとの間に免震ゴム９を介在させ、該取付金物８ａ上に土台４を載せ、該取付金物８ａと該土台４とにアンカーボルト１３ａを貫通させ、該土台４から上方に露出する該アンカーボルト１３ａの上端にナットを螺合して固定する木造建築物の基礎構造であるが、該アンカーボルト１３aと該アンカーボルト１３ｂとの２本のアンカーボルトを使用している複雑な構成である。
【００１２】
（６）特開０９−０３２１４０号公報記載の発明は、室内の内部空間１２と外部内部空間１３とを仕切る壁体９内に互いに非連通状態の内側通気空間２０と、外側通気空間２１との二重の通気空間を形成する。住宅の基礎１の上に固定された土台２、２の間にかけ渡された大引き３、胴差４、４にかけ渡された梁５、各土台２及び大引き３と、各胴差４及び梁５との間が、複数の柱６、６及び柱６、６間に配置された複数の間柱７によって連結された建築物の通気構造である。
【００１３】
（７）特開２０００−１２０７８２号公報記載の発明は、基礎の上部に取付ける軸受けベース５と土台の下部に取付ける免震土台受け２で構成され、その接触面を鈍角円錐面にして風圧によるスライドを防止し、地震によるスライド現象だけに免震効果を発揮するものである。
【００１４】
（８）特開２０００−１４５１３６号公報記載の発明は、基礎の上に免震ゴム体を介して土台を固定する木造建築用免震土台構造およびその施工方法であり、地震による衝撃、振動を緩和、吸収するものである。
【００１５】
（９）特開２０００−３５２０６３号公報記載の発明は、地震の衝撃を遮断して建物の倒壊を防止する免震ゴムである。
【００１６】
（１０）特開２００１−１８２３６３号公報記載の発明は、木造建築物における基礎用自在アンカーボルト及び免震土台ベースである。
【００１７】
（１１）特開２００５−０４２４８８号公報記載の発明は、免震土台にアンカーボルトを設けたものである。
【００１８】
（１２）特開２００７−０６３７５７号公報記載の発明は、木造建築物や軽量鉄骨建築物などの軽い建築物の免震構造を設ける建築工法である。
【００１９】
（１３）特開２００７−１２００２３号公報記載の発明は、基礎と土台との間にローラを介在させる構造である。
【００２０】
（１４）特開２００７−１４００２３号公報記載の発明は、角柱木材を主材としつつも、必要な強度を確保しながらもコスト上昇を抑制することができ、しかも、部材相互の連結も仕口接合や釘やビスを用いる簡単な現場作業で行うことができる補強木質材および土台用枠体ならび免震土台構造の提供である。
【００２１】
（１５）特開２００７−１５４４０８号公報記載の発明は、角柱木材の周側面に薄板鋼板を一体的に覆設して補強木質材を形成し、それを適宜組み合わせ、連結して土台用枠体を形成し、該土台用枠体には、敷地の地面方向に形成されたコンクリート基盤との間の免震手段を介して連結し、土台兼用の免震機能を付与するものである。
【００２２】
（１６）実用新案登録第３１４４１４９号公報記載の考案は、地震の急激な振動による土台基礎の部分振動を軽減させて、上下ゆれ、よこゆれの両方ともに対応することができる木造基礎土台免震構造を提供するものである。
【課題を解決するための手段】
【００２３】
この発明は、前述の課題を解決するものであり、その第１要旨は、所要巾、高さ及び長さを有する逆Ｔ字形コンクリート基礎と、該逆Ｔ字形コンクリート基礎と同じ巾と長さ及び所要厚みとを有し、該逆Ｔ字形コンクリート基礎上に敷設される免震シートと、内壁面が該逆Ｔ字形コンクリート基礎の外壁面と略一致する巾、高さ及び長さを有し、該逆Ｔ字形コンクリート基礎と該免震シートとに嵌合される内側鋼板、外側鋼板及び鋼製連結板とを有する鋼製Ｈ形鋼と、該鋼製Ｈ形鋼の該外側鋼板の上半部壁面と略一致する巾、高さ及び長さを有し、該鋼製Ｈ形鋼の該内側鋼板と外側鋼板の各上半部壁内に嵌合される土台とから成る木造住宅の免震土台である。
【００２４】
この発明の第２要旨は、所要巾、高さ及び長さを有する逆Ｔ字形コンクリート基礎と、内側鋼板が該逆Ｔ字形コンクリート基礎の外壁面と略一致する巾、高さ及び長さとを有し、該逆Ｔ字形コンクリート基礎に嵌合される鋼製Ｈ形鋼と、該鋼製Ｈ形鋼の内側鋼板と外側鋼板の各上半部側壁面と略一致する巾、高さ及び長さを有し、該鋼製Ｈ形鋼の該内側鋼板と外側鋼板の各上半部壁内に嵌合される土台とから成る木造住宅の免震土台である。
【００２５】
この発明の第３要旨は、所要巾、高さ及び長さを有する逆Ｔ字形コンクリート基礎と、該逆Ｔ字形コンクリート基礎の一方の底面の長手方向に一定間隔で穿設された垂直貫通口と、該垂直貫通に貫通されたワイヤ係合用アンカーと、該逆Ｔ字形コンクリート基礎に嵌合される該鋼製Ｈ形鋼で該外側鋼板の該垂直貫通口の対応箇所の外壁面の中間部に所要間隔で突設されたワイヤ係合用突起と、該ワイヤ係合用アンカーと該ワイヤ係合用突起とに張設される鋼製Ｈ形鋼固定用ワイヤと、該鋼製Ｈ形鋼の内側鋼板と外側鋼板の各上半部側壁面と略一致する巾、高さ及び長さを有し、該鋼製Ｈ形鋼の該内側鋼板と外側鋼板の各上半部壁内に嵌合される土台と、該土台に垂直に貫通されたボルトの上端にナットを螺合して該土台と該鋼製Ｈ形鋼とを該逆Ｔ字形コンクリート基礎に固定することを特徴とする木造住宅の免震土台である。
【００２６】
この発明の第４要旨は、所要間隔で並列に設けられた一対の所要巾、高さ及び長さを有する第１及び第２逆Ｔ字形コンクリート基礎と、一方の該第１逆Ｔ字形コンクリート基礎に嵌合される第１鋼製Ｈ形鋼と、他方の該第２逆Ｔ字形コンクリート基礎に嵌合される第２鋼製Ｈ形鋼と、該第１鋼製Ｈ形鋼の内側鋼板の所要箇所に所要巾で形成された切欠部から他方の該第２逆Ｔ字形コンクリート基礎の内側鋼板の対応箇所に形成された切欠部に直角に延長して固定される第１Ｕ形鋼と、該第２鋼製Ｈ形鋼の外側鋼板で該第１Ｕ形鋼の延長戦の対応箇所に形成された第２Ｕ形鋼とから成る木造住宅の免震土台である。
【００２７】
この発明の第５要旨は、所要巾、高さ及び長さを有する直角且つ逆Ｔ字形コンクリート基礎と、該直角且つ逆Ｔ字形コンクリート基礎と同じ巾と長さ及び所要厚みを有し、該直角且つ逆Ｔ字形コンクリート基礎に嵌合される直角形鋼製Ｈ形鋼と、該直角形Ｈ形鋼の上半部内壁面と略一致する巾、高さ及び長さを有し、該直角形鋼製Ｈ形鋼の該上半部壁内に嵌合される土台とから成る木造住宅の免震土台である。
【発明の効果】
【００２８】
（１）この発明に係る木造住宅の免震土台においては、逆Ｔ字形コンクリート基礎上に免震シートを単に置き、それらに鋼製Ｈ形鋼を挟み込んで被覆させ、該鋼製Ｈ形鋼内に土台を嵌合させるだけであるから、従来の様にコンクリート基礎内にアンカーボルトを埋設する工事が全く不要となるので、工期を格段に短縮可能となり、フローティング基礎（所謂浮き基礎）の効果が得られる。
【００２９】
（２）また、この発明の免震土台においては、公知技術の様に建築物のコンクリート基礎と土台の間に、球、バネ、ローラ等を設ける必要が無くなり、これら部材を収納させる構成を該コンクリート基礎に態々形成する必要が無くなる。
【００３０】
（３）そして、この発明の免震土台の逆Ｔ字形コンクリート基礎に設けられる鋼製Ｈ形鋼の上半部の外壁面のワイヤ係合用突起と、該逆Ｔ字形コンクリート基礎のワイヤ係合用アンカーに張設された鋼製Ｈ形鋼固定用ワイヤにより該鋼製Ｈ形鋼を固定するので、工事途中において強風や作業中の振動によって該鋼製Ｈ形鋼が外れ、又はスライドすることが全く無くなる。
【００３１】
（４）従って、この発明の免震土台の直角形コンクリート基礎に設けられる鋼製Ｈ形鋼の連結板の中間部長手方向に一定間隔で穿設されたボルト貫通孔内に、該直角形鋼製Ｈ形鋼内に嵌合された土台に垂直下方に貫通されたボルトの下端を螺合して該直角形鋼製Ｈ形鋼内に該土台を固定可能となり、工事途中において強風や振動によって該土台が該鋼製Ｈ形鋼から外れることがない。
【００３２】
（５）更に、この発明の免震土台においては、免震土台本体に何ら加工する必要がないので、材料の節約と作業工程が短縮されるので、作業効率が格段に向上可能となる。
【００３３】
（６）加えて、この発明の免震土台は、逆Ｔ字形コンクリート基礎又は直角形コンクリート基礎にも使用可能となる。
【００３４】
（７）その結果、この発明の免震土台は、逆Ｔ字形コンクリート基礎又は直角形コンクリート基礎が無い実施例においても、部分的に実施可能となる。
【００３５】
（８）最後に、この発明の免震土台は、構成が簡単となり、部品点数が少なく、逆Ｔ字形コンクリート基礎上に免震シートを敷き、該コンクリート基礎と該弾性体シートを鋼製Ｈ形鋼で挟み込み、該鋼製Ｈ形鋼内に土台を嵌合するだけであるから、作業が公知の組立法に比較して格段に改良且つ短縮され、容易となる。
【図面の簡単な説明】
【００３６】
【図１】この発明に係る請求項１に記載された木造住宅の免震土台において、逆Ｔ字形コンクリート基礎に、免震シート、Ｈ形鋼及び土台を設けた実施例の部分斜視図である。
【図２】図１に示すコンクリート基礎からＨ形鋼と土台とを取外した状態を示す実施例の部分拡大正面略図である。
【図３】図１、２に示す逆Ｔ字形コンクリート基礎から取外したＨ形鋼の拡大正面図である。
【図４】図１に示す逆Ｔ字形コンクリート基礎から免震シートを取外した請求項２に記載の実施例の部分斜視図である。
【図５】この発明に係る請求項３に記載された木造住宅の免震土台において、逆Ｔ字形コンクリート基礎に、Ｈ形鋼及び土台を設け、該Ｈ形鋼をワイヤにより該逆Ｔ字形コンクリート基礎に固定する前の状態を示す一部切欠正面図である。
【図６】図５に示す該コンクリート基礎に土台を有するＨ形鋼を嵌合した実施例の一部透視拡大正面図である。
【図７】この発明に係る請求項４に記載された一対の相対する逆Ｔ字形コンクリート基礎に、夫々嵌合された第１及び第２Ｈ形鋼と、該第１及び第２Ｈ形鋼を連結する第１Ｕ形鋼の延長戦の対応箇所に形成された第２Ｕ形鋼等を示す実施例の部分拡大斜視図である。
【図８】この発明に係る請求項５に記載された直角形コンクリート基礎に嵌合されたＨ形鋼と、該Ｈ形鋼に嵌合された土台を示す実施例の部分斜視図である。
【図９】図８の直角形コンクリート基礎の他の実施例の斜視図である。
【発明を実施するための最良の形態】
【００３７】
この発明は、木造住宅の免震土台において、逆Ｔ字形コンクリート基礎内にアンカーボルトを埋設しないので工法が格段に容易且つ短縮され、所要巾、高さ及び長さを有する逆Ｔ字形コンクリート基礎と、該逆Ｔ字形コンクリート基礎上に敷設される所要巾、厚み及び長さを有する免震シートを設けたり、又は設けないで、内壁面が該逆Ｔ字形コンクリート基礎の外壁面と略一致する巾を有し、該逆Ｔ字形コンクリート基礎に嵌合される鋼製Ｈ形鋼と、該逆Ｔ字形コンクリート基礎の外壁面と略一致する巾を有し、該鋼製Ｈ形鋼の上半部壁面内に嵌合される土台とから成る木造住宅の免震土台である。
【実施例】
【００３８】
図１〜３において、請求項１記載の発明に係る木造住宅の免震土台の実施例を説明する。この発明に係る木造住宅の免震土台を構成するには、所要地面Gを平らに整地し、該整地地面Gに建築される所望木造建築物（図示せず）の平面形状に応じて地墨(生石灰粉)を引き、所要に応じ、捨てコンクリート４０を打設し、該整地地面Gに所要巾、高さ及び長さを有する逆Ｔ字形コンクリート基礎１０を所要の深さに埋設する。
【００３９】
該逆Ｔ字形コンクリート基礎１０は、所要巾、高さ及び長さを有する側面１０ａと、該側面１０ａの下端に、所要巾、高さ及び長さを有する底部１０ｂを直角で一体に設けて逆Ｔ字形とする。
【００４０】
該逆Ｔ字形コンクリート基礎１０上に、同じ巾、所要厚み及び長さを有する免震シート（例えば制震ゴム或いは免震ゴム）１８を敷設する。
【００４１】
該免震シート（又は制震ゴム或いは免震ゴム）１８としては、例えば、耐候性、耐熱性、耐薬品性、耐油性、難燃性を有する架台用ゴムシート（ＣＲゴムシート）等が挙げられる。
【００４２】
図３に示す通リ、該逆Ｔ字形コンクリート基礎１０に嵌合される鋼製Ｈ形鋼１４は、一方の鋼製側板１４ａの内壁面１４ａ’と他方の鋼製側板１４ｂの内壁面１４ｂ’との中間部を、該逆Ｔ字形コンクリート基礎１０と略一致する巾、厚み及び長さを有する鋼製連結板１４ｃで連結して一体の鋼製Ｈ形鋼とする。
【００４３】
該鋼製Ｈ形鋼１４の該側板１４ａの下半部１４ａｌと該上半部１４ａｕ及び該側板１４ｂの該下半部１４ｂｌと該上半部１４ｂｕとを、同一の巾、高さ及び長さとしたので、その上下を交互にしても、容易に該逆Ｔ字形コンクリート基礎１０に嵌合自在となる。
【００４４】
図２に示す通リ、該鋼製Ｈ形鋼１４を該逆Ｔ字形コンクリート基礎１０と該免震シート１８とに、外側から嵌合して一体とする。
【００４５】
該鋼製Ｈ形鋼１４の該上半部１４ａｕ内に、略一致する巾、高さ及び長さを有する土台１６を嵌合し、一体として木造住宅の免震土台とする。
【００４６】
図４において、請求項２記載の発明の実施例を説明する。所要巾、高さ及び長さを有する逆Ｔ字形コンクリート基礎１０上に、免震シート１８を敷設せず、該逆Ｔ字形コンクリート基礎１０の一方の側面１０ａと他方の底部１０ｂと略一致する巾、高さ及長さを有する鋼製Ｈ形鋼１４を、該逆Ｔ字形コンクリート基礎１０に外側から嵌合する。
【００４７】
該鋼製Ｈ形鋼１４の該上半部１４ａｕと１４ｂｕ内に、略一致する巾、高さ及び長さを有する土台１６を嵌合し、一体として木造住宅の免震土台とする。
【００４８】
図５、６において、請求項３記載の発明の実施例を説明する。この実施例においては、工事途中において、強風や作業中の振動で該鋼製Ｈ形鋼１４が該逆Ｔ字形コンクリート基礎１０から外れ、又はスライドするのを防止する。
【００４９】
図５に示す通リ、所要巾、高さ及び長さを有する該逆Ｔ字形コンクリート基礎１０の一方の底部１０ｂの長手方向に一定間隔で垂直貫通口１０ｃ・・・を穿設し、該各垂直貫通口１０ｃ内にワイヤ係合用アンカー２６の下端を夫々貫通して固定する。
【００５０】
該逆Ｔ字形コンクリート基礎１０に嵌合される該鋼製Ｈ形鋼１４の一方の側板１４ａの外壁面の中間部で該垂直貫通口１０ｃ（即ち該鋼製連結板１４ｃの外側）に対応する箇所に、所要間隔でワイヤ係合用突起１４ｅ・・・を夫々突設する。
【００５１】
図６に示す様に、該鋼製Ｈ形鋼１４を該逆Ｔ字形コンクリート基礎１０に嵌合し、該ワイヤ係合用アンカー２６と該鋼製Ｈ形鋼１４の該外壁面の該ワイヤ係合用突起１４ｅとをワイヤ２４により連結し、該鋼製Ｈ形鋼１４を常時下方に附勢すれば、工事途中の振動や強風により該鋼製Ｈ形鋼１４が該逆Ｔ字形コンクリート基礎１０から外れ、又はスライドしなくなる。
【００５２】
該鋼製Ｈ形鋼１４内に嵌合した土台１６に上方から下方に貫通したボルト２０の下端を貫通し、該ボルト２０の上端にナット２２を螺合して該土台１６と該鋼製Ｈ形鋼１４とを固定する。
【００５３】
図７において、請求項４記載の発明の実施例を説明する。所要巾、高さ及び長さを有する一対の第１及び第２逆Ｔ字形コンクリート基礎１０と１２とを所要間隔で並列に設ける。
【００５４】
一方の該第１逆Ｔ字形コンクリート基礎１０に嵌合される鋼製Ｈ形鋼２８の外側鋼２８ａと、内側鋼２８ｂの所要箇所に、所要巾で切欠部２８ｂ’を形成し、該切欠部２８ｂ’から他方第２逆Ｔ字形コンクリート基礎１２に勘合される第２鋼製Ｈ形鋼３０の内側板３０ｂの対応箇所に形成された切欠部３０ｂ’に直角に延長して第１Ｕ形鋼３２を固定する。
【００５５】
該逆Ｔ字形コンクリート基礎１２に嵌合される第２鋼製Ｈ形鋼３０の外側鋼板３０ａで、該内側鋼板３０ｂの該切欠部３０ｂ’に対応する個所に第２Ｕ形鋼３４を突設する。
【００５６】
従って、コンクリート基礎が無い実施例においても、該第１鋼製Ｈ形鋼２８と該第２鋼製Ｈ形鋼３０との間に該第１連結Ｕ形鋼３２を設ける事が可能となる。
【００５７】
図７に示す通リ、コンクリート基礎が無い実施例においても、該第１鋼製Ｈ形鋼２８と該第２鋼製Ｈ形鋼３０は、所要巾、高さ及び長さを有する該第１Ｕ形鋼３２と、それに連結して該第２Ｕ形鋼３４を一体に設けてＴ字形とする。
【００５８】
該第１鋼製Ｈ形鋼２８と該第２鋼製Ｈ形鋼３０及び該第１Ｕ形鋼３２と該第２Ｕ形鋼３４内に、同じ巾と長さ及び所要厚みを有する土台１６の嵌合が可能となり、コンクリート基礎が無い実施例においても、部分的に実施可能となる。
【００５９】
図８は、請求項５記載の発明に使用される直角且つ逆Ｔ字形コンクリート基礎の実施例である。所要巾、高さ及び長さを有する直角且つ逆Ｔ字形コンクリート基礎５０に、それに対応する巾と長さ及び所要厚みを有する直角形Ｈ形鋼６０を嵌合する。
【００６０】
そして、直角形Ｈ形鋼３６の下半部６０ａｌ、６０ａｌは、該直角且つ逆Ｔ字形コンクリート基礎５０の壁面５０ａ、５０ａに対応する巾と長さを有し、該直角形Ｈ形鋼６０の壁面５０ａｌ、５０ａｌの上半部内壁面６０ａｕ、６０ａｕ内にそれと略同じ巾、高さ及び長さを有する木材１６、１６を夫々嵌合する。
【００６１】
図９は、請求項５記載の発明の直角形コンクリート基礎の他の実施例であり、該直角形コンクリート基礎に対応して直角形基礎７０を所望の形状とすることが出来、所望の木造住宅の免震土台とすることが可能である。
【符号の説明】
【００６２】
Ｇ            整地地面；
１０          逆Ｔ字形コンクリート基礎；
１０ａ        逆Ｔ字形コンクリート基礎の側面；
１０ｂ        逆Ｔ字形コンクリート基礎の底部；
１０ｃ        垂直貫通口；
１２          第２逆Ｔ字形コンクリート基礎；
１４          鋼製Ｈ形鋼；
１４ａ        鋼製側板；
１４ａ’      内壁面；
１４ａｌ      下半部；
１４ａｕ      上半部；
１４ｂ        鋼製側板；
１４ｂ’      内壁面；
１４ｂｌ      下半部；
１４ｂｕ      上半部；
１４ｃ        連結板；
１４ｄ        垂直貫通孔；
１４ｅ        ワイヤ係合用突起； 
１６          土台；
１８          免震シート；
２０          ボルト；
２２          ナット；
２４          ワイヤ；
２６          ワイヤ係合用アンカー；
２８          第１鋼製Ｈ形鋼；
２８ａ        外側鋼板；
２８ｂ        内側鋼板；
２８ｂ’      切欠部；
２８ｃ        連結板；
３０          第２鋼製Ｈ形鋼；
３０ａ      外側鋼板；
３０ｂ      内側鋼板；
３０ｂ’      切欠部；
３２      第１Ｕ型鋼；
３４      第２Ｕ型鋼；
３４ａ        垂直板；
３４ｂ        底板；
３６        直角形Ｈ形鋼；
３６ａｌ        直角形Ｈ形鋼の下半部；
３６ａｕ      直角形Ｈ形鋼の上半部；
４０      捨てコンクリート；
５０      逆Ｔ字型コンクリート基礎；
５０ａ      逆Ｔ字型コンクリート基礎の外壁面；
５０ｂ      逆Ｔ字型コンクリート基礎の底部；
６０      直角形Ｈ型鋼；
６０ａｕ      直角形Ｈ型上半部；
６０ａｌ      直角形Ｈ型下半部；
７０      直角形コンクリート基礎の他の実施例。
【図１】
2011094396.tif 000003
【図２】
2011094396.tif 000004
【図３】
2011094396.tif 000005
【図４】
2011094396.tif 000006
【図５】
2011094396.tif 000007
【図６】
2011094396.tif 000008
【図７】
2011094396.tif 000009
【図８】
2011094396.tif 000010
【図９】
2011094396.tif 000011